(57)【要約】      （修正有）【課題】自動分析装置の試薬トレイ又はその一部を交換した場合に試薬トレイの設定情報の変更作業を不要とする。【解決手段】試薬容器が配置される試薬トレイ４，５，４ｎ，５ｎを収納する試薬トレイ収納部２４Ｓ，２５Ｓと、複数の試薬トレイ４，５，４ｎ，５ｎの設定情報Ｇ，Ｇ’と、試薬トレイ４，５，４ｎ，５ｎの設定情報Ｇ，Ｇ’の特定に資する情報である特定情報とを対応づけて記憶する記憶部と、特定情報を入力する入力部と、記憶部から入力部により入力された特定情報と対応づけられた試薬トレイ４，５，４ｎ，５ｎの設定情報を読み出し、試薬トレイ収納部２４Ｓ，２５Ｓに収納されている試薬トレイ４，５，４ｎ，５ｎの設定情報として設定する制御部と、を備える。【選択図】図３
2018124223.tif 000002
【特許請求の範囲】
【請求項１】
試薬容器が配置される試薬トレイを収納する試薬トレイ収納部と、
複数の試薬トレイの設定情報と、前記試薬トレイの設定情報の特定に資する情報である特定情報とを対応づけて記憶する記憶部と、
前記特定情報を入力する入力部と、
前記記憶部から前記入力部により入力された前記特定情報と対応づけられた試薬トレイの設定情報を読み出し、前記試薬トレイ収納部に収納されている前記試薬トレイの設定情報として設定する制御部と、を備える
自動分析装置。
【請求項２】
前記特定情報は、分析動作に使用する前記試薬トレイの設定情報を設定するソフトウェアもしくは当該自動分析装置のコンピューターにログインするためのログイン情報、又は使用者の識別情報である
請求項１に記載の自動分析装置。
【請求項３】
前記特定情報は、前記試薬トレイの名称又は識別情報である
請求項１に記載の自動分析装置。
【請求項４】
前記試薬トレイ収納部に対する前記試薬トレイの着脱を検知する着脱検知部を、更に備え、
前記制御部は、前記着脱検知部により前記試薬トレイが他の試薬トレイに交換されたことを検知した場合には、前記特定情報に基づいて、前記記憶部から前記他の試薬トレイの設定情報を読み出す
請求項１乃至３のいずれか一項に記載の自動分析装置。
【請求項５】
前記制御部は、前記着脱検知部により前記試薬トレイが前記他の試薬トレイに交換されたことを検知したとき、前記特定情報の入力を要求する画面を表示部に表示する
請求項４に記載の自動分析装置。
【請求項６】
前記ログイン情報又は前記使用者の識別情報は、前記試薬トレイごとに設定されており、
前記制御部は、一つのログイン情報に対して複数の試薬トレイが対応付けられている場合には、前記試薬トレイの名称又は識別情報に基づいて、前記記憶部から該当する試薬トレイの設定情報を特定して読み出す
請求項２に記載の自動分析装置。
【請求項７】
前記入力部として、前記試薬トレイに取り付けられた情報源から情報を読み取る情報読取部を備え、
前記特定情報は、前記情報読取部によって前記試薬トレイに取り付けられた前記情報源から読み取られた情報である
請求項１に記載の自動分析装置。
【請求項８】
前記試薬トレイの前記設定情報は、前記試薬トレイごとに前記記憶部の異なる記憶領域に記憶されている
請求項１乃至７のいずれか一項に記載の自動分析装置。
【請求項９】
入力部から試薬容器が配置される試薬トレイの設定情報の特定に資する情報である特定情報の入力を受け付ける手順と、
複数の前記試薬トレイの設定情報と前記特定情報とを対応づけて記憶する記憶部から、前記入力部により入力された前記特定情報と対応づけられた試薬トレイの設定情報を読み出し、試薬トレイ収納部に収納されている前記試薬トレイの設定情報として設定する手順と、
をコンピューターに実行させるためのプログラム。
【発明の詳細な説明】
【技術分野】
【０００１】
本発明は、検体に含まれる成分を分析するための自動分析装置及びプログラムに関する。
【背景技術】
【０００２】
自動分析装置として、血液や尿等の検体（一般検体）に含まれる各種成分を分析する生化学分析装置が知られている。この生化学分析装置では、血清、尿等の検体を一定の条件で希釈した後、反応容器に分注して、試薬トレイ（例えば試薬ターンテーブル）に収納されている分析項目に応じた試薬と、検体とを反応容器（キュベット）内で混合して反応させている。そして、生化学分析装置は、反応容器に分注された希釈検体の吸光度を測定し、吸光度を濃度に換算することによって、検体に含まれる成分（測定対象物質）の分析を行っている。
【０００３】
試薬トレイには、数十の試薬容器が配置される。自動分析装置では試薬トレイを交換して分析する用途は想定されておらず、自動分析装置の制御ソフトウェアは試薬トレイの設定情報を一つしか持っていなかった。試薬トレイの設定情報は、試薬トレイのどのポジションにどの分析項目のための試薬容器が収容されているかという情報である。
【０００４】
特許文献１には、複数の使用者が一台の分析装置を使用し、使用者ごとに分析条件を変更して分析を実行する技術が記載されている。特許文献１に開示された分析装置は、不揮発性の第１メモリから揮発性の第２メモリに読み込まれた分析条件に従って分析を行う分析装置であって、第１の使用権限が設定された使用者が分析条件を変更した場合には変更された分析条件を第１及び第２メモリに記憶し、第２の使用権限が設定された使用者が分析条件を変更した場合には変更された分析条件を第２メモリにのみ記憶する。
【先行技術文献】
【特許文献】
【０００５】
【特許文献１】特開２００４−３０９２４９号公報
【発明の概要】
【発明が解決しようとする課題】
【０００６】
特許文献１に記載の分析装置は、ログインした使用者が第１メモリから第２メモリへ読み込まれた分析条件を変更すると、変更後の分析条件に基づいて分析を実行する。しかし、この分析装置は、液体クロマトグラフやガスクロマトグラフ等の分析装置であって、試薬トレイを備えた自動分析装置（医療機器）ではなく、前提とする構成が異なる。仮に自動分析装置の試薬トレイを交換して特許文献１の技術を適用することを考えると、新たに自動分析装置に収納された試薬トレイの設定情報を使用者が手入力で変更することになり、大変な手間がかかる。
【０００７】
本発明は、上記の状況を考慮してなされたものであり、自動分析装置の試薬トレイ又はその一部を交換した場合に試薬トレイの設定情報の変更作業を不要とすることを目的とする。
【課題を解決するための手段】
【０００８】
本発明の一態様の自動分析装置は、試薬容器が配置される試薬トレイを収納する試薬トレイ収納部と、複数の試薬トレイの設定情報と、試薬トレイの設定情報の特定に資する情報である特定情報とを対応づけて記憶する記憶部と、特定情報を入力する入力部と、記憶部から入力部により入力された特定情報と対応づけられた試薬トレイの設定情報を読み出し、試薬トレイ収納部に収納されている試薬トレイの設定情報として設定する制御部と、を備える。
【０００９】
本発明の一態様のコンピューター読み取り可能なプログラムは、入力部から試薬容器が配置される試薬トレイの設定情報の特定に資する情報である特定情報の入力を受け付ける手順と、複数の試薬トレイの設定情報と特定情報とを対応づけて記憶する記憶部から、入力部により入力された特定情報と対応づけられた試薬トレイの設定情報を読み出し、試薬トレイ収納部に収納されている試薬トレイの設定情報として設定する手順と、を含む。
【発明の効果】
【００１０】
本発明の少なくとも一態様によれば、自動分析装置の試薬トレイを交換した場合に、ユーザーが試薬トレイの設定情報の変更作業を行う必要がない。それにより、１台の自動分析装置を異なる分析項目を取り扱う複数のユーザーが、試薬トレイの設定情報の変更作業を行うことなく、共同使用することができる。
上記した以外の課題、構成及び効果は、以下の実施形態の説明により明らかにされる。
【図面の簡単な説明】
【００１１】
【図１】１台の自動分析装置を複数の使用者が共同で使用する場合の形態を示す説明図である。
【図２】試薬トレイ交換後の自動分析装置による試薬トレイ設定情報切替作業を示すフローチャートである。
【図３】本発明の第１の実施形態に係る自動分析装置の概要を示す説明図である。
【図４】本発明の第１の実施形態に係る自動分析装置による試薬トレイ設定情報切替作業の概略を示すフローチャートである。
【図５】本発明の第１の実施形態に係る自動分析装置を模式的に示す説明図である。
【図６】本発明の第１の実施形態に係る計算機の構成例を示すブロック図である。
【図７】本発明の第１の実施形態に係る自動分析装置の制御部の内部構成例を示す説明図である。
【図８】本発明の第１の実施形態に係る試薬トレイ設定情報対応テーブルの構成例を示す説明図である。
【図９】本発明の第１の実施形態に係る試薬トレイ設定情報切替処理の流れを示すフローチャートである。
【図１０】本発明の第２の実施形態に係る自動分析装置を模式的に示す説明図である。
【図１１】本発明の第２の実施形態に係る自動分析装置の制御部の内部構成例を示す説明図である。
【図１２】本発明の第２の実施形態に係る試薬トレイ設定情報切替処理の流れを示すフローチャートである。
【図１３】本発明の第２の実施形態に係るログイン情報入力画面の例を示す説明図である。
【図１４】本発明の第２の実施形態に係る試薬トレイ設定情報対応テーブルの構成例を示す説明図である。
【図１５】本発明の第２の実施形態に係る試薬トレイ設定情報切替画面の例を示す説明図である。
【図１６】本発明の第３の実施形態に係る自動分析装置を模式的に示す説明図である。
【図１７】本発明の第３の実施形態に係る自動分析装置の制御部の内部構成例を示す説明図である。
【図１８】本発明の第３の実施形態に係る試薬トレイ情報テーブルの構成例を示す説明図である。
【図１９】本発明の第３の実施形態に係る試薬トレイ設定情報切替処理の流れを示すフローチャートである。
【図２０】本発明の第４の実施形態に係る設定項目選択画面の例を示す説明図である。
【図２１】本発明の第４の実施形態に係る試薬トレイ交換メッセージ表示画面の例を示す説明図である。
【発明を実施するための形態】
【００１２】
以下、本発明を実施するための形態の例について、添付図面を参照しながら説明する。各図において実質的に同一の機能又は構成を有する構成要素については、同一の符号を付して重複する説明を省略する。
【００１３】
＜１．第１の実施形態＞
［検討］
研究機関Ａと研究機関Ｂが、１台の自動分析装置を共同使用するケースについて検討する。研究機関Ａは、午前に生化学項目(総蛋白、アルブミン、クレアチニンなど)を分析する。研究機関Ｂは、午後に血中薬物項目(テオフィリン、バルプロ酸、カルバマゼピンなど)を分析する。生化学項目と血中薬物項目は分野が異なるため、分析のために使用する試薬はまったく異なる。研究機関Ｂが午後に自動分析装置の使用を開始するとき、試薬トレイに配置された研究機関Ａの分析用の試薬容器を取り除いて、研究機関Ｂの分析用の試薬容器を配置し直す必要がある。
【００１４】
しかし、一般的な自動分析装置では誠薬トレイ上に数十もの試薬容器が収容されている。そのため、試薬容器を１つずつ交換するよりも研究機関Ｂがあらかじめ試薬容器を配置済みの別の試薬トレイを別途準備しておき、試薬容器を試薬トレイごと交換するほうが合理的である。
【００１５】
試薬トレイは取り外し／取り付けが比較的容易であるので、異なる分析項目の試薬容器が配置された試薬トレイを複数個準備しておいて、分析の合間（検体を入れ替える間等）に試薬トレイごと交換することは物理的に可能である。しかし、従来試薬トレイを丸ごと交換して分析する用途は想定されておらず、自動分析装置の制御ソフトウェアは試薬トレイに関する設定情報のための記憶領域を１つしか持っていない。そのため、試薬トレイを別の試薬トレイへ交換した場合は、ユーザーが制御ソフトウェアにログインし、新しい試薬トレイに関する設定情報を再入力する必要がある。
【００１６】
図１は、複数の試薬トレイを準備して１台の自動分析装置を複数の使用者が共同で使用する場合の形態を示す説明図である。図２は、試薬トレイ交換後の自動分析装置による試薬トレイ設定情報切替作業を示すフローチャートである。
【００１７】
図１において、自動分析装置１００は、試薬ターンテーブル収納部２４Ｓ，２５Ｓ（試薬トレイ収納部の一例）と、制御ソフトウェア（Ｆ）が動作する環境と、不図示の不揮発性のメモリを有する。試薬ターンテーブル収納部２４Ｓ，２５Ｓには、試薬ターンテーブル４，５（試薬トレイの一例）が収納されており、メモリの記憶領域Ｍには、試薬ターンテーブル４，５の設定情報（Ｇ）が記録されている。以下では、試薬ターンテーブル収納部を「試薬トレイ収納部」とも称し、試薬ターンテーブルを「試薬トレイ」とも称する。制御ソフトウェア（Ｆ）は、ログイン処理、試薬トレイ設定情報の記録及び呼び出し、並びに自動分析装置１００の分析動作の制御を実行する。
【００１８】
午前は、研究機関Ａが自動分析装置１００を使用するので、試薬トレイ収納部２４Ｓ，２５Ｓには研究機関Ａが準備した試薬トレイ４，５が収納される。午後は、研究機関Ｂが自動分析装置１００を使用するので、試薬トレイ収納部２４Ｓ，２５Ｓには研究機関Ｂが準備した試薬トレイ４ｎ，５ｎが収納される。分析では２つの試薬トレイを並行して使用することが多いため、２つの試薬トレイを同時に交換する場合を想定する。ユーザー［ａ］は研究機関Ａに所属し、ユーザー［ｂ］は研究機関Ｂに所属している。
【００１９】
図１に示した構成において、研究機関Ａが午前の自動分析装置１００の使用を終了した後、研究機関Ｂが午後に自動分析装置１００を使用して分析業務を開始するためには、以下の試薬トレイ設定情報切替作業を行う。
【００２０】
図２において、研究機関Ｂのユーザー［ｂ］は、自動分析装置１に収納されていたユーザー［ａ］が使用した試薬トレイ４，５を取り出し、試薬トレイ４ｎ，５ｎに交換する（Ｓ１）。次に、ユーザー［ｂ］は、制御ソフトウェア（Ｆ）を起動させ、不図示の入力部により制御ソフトウェア（Ｆ）にログインする（Ｓ２）。次いで、ユーザー［ａ］はログイン後、入力部により制御ソフトウェアに対し、交換した新しい試薬トレイ４ｎ，５ｎの設定情報（Ｇ’）を入力する（Ｓ３）。制御ソフトウエア（Ｆ）は、入力された試薬トレイ４ｎ，５ｎの設定情報（Ｇ’）を記憶領域Ｍｂから読み出して、分析に使用する設定情報として設定する。以上で分析の準備は終了である。
【００２１】
このように、試薬トレイを別の試薬トレイへ交換した場合は、ユーザーが制御ソフトウェア（Ｆ）にログインし、新しい試薬トレイの設定情報（Ｇ’）を再入力する必要があるが、手入力による入力は手間がかかり実用的ではない。
【００２２】
［第１の実施形態の概要］
次に、第１の実施形態に係る自動分析装置の概要について説明する。図３は、第１の実施形態に係る自動分析装置の概要を示す説明図である。図４は、第１の実施形態に係る自動分析装置による試薬トレイ設定情報切替処理の概略を示すフローチャートである。
【００２３】
図３において、自動分析装置１は、試薬トレイ収納部２４Ｓ，２５Ｓと、制御ソフトウェア（Ｆ’）が動作する環境と、不図示の不揮発性のメモリを有する。メモリの記憶領域Ｍａには、試薬トレイ４，５の設定情報（Ｇ）が記録され、メモリの記憶領域Ｍｂには、試薬トレイ４ｎ，５ｎの設定情報（Ｇ’）が記録されている。試薬トレイの設定情報（Ｇ）はログイン［ａ］のログイン情報と対応づけられているとともに、試薬トレイの設定情報（Ｇ’）はログイン［ｂ］のログイン情報と対応づけられている。制御ソフトウェア（Ｆ’）は、ログイン処理、試薬トレイ設定情報の記録及び呼び出し、自動分析装置１の分析動作の制御を実行する。
【００２４】
図３に示した構成において、研究機関Ａが午前の自動分析装置１の使用を終了した後、研究機関Ｂが午後に自動分析装置１を使用して分析業務を開始するためには、以下の試薬トレイ設定情報切替作業を行う。
【００２５】
図４において、研究機関Ｂのユーザー［ｂ］は、自動分析装置１に収納されていたユーザー［ａ］が使用した試薬トレイ４，５を試薬トレイ４ｎ，５ｎに交換する（Ｓ１１）。ユーザー［ａ］は、午前に記憶領域Ｍａに記録された試薬トレイ４ｎ，５ｎの設定情報（Ｇ）を用いて分析を実施している。次に、ユーザー［ｂ］は、制御ソフトウェア（Ｆ’）を起動させ、不図示の入力部により制御ソフトウェア（Ｆ’）にユーザー［ｂ］としてログインする（Ｓ１２）。次いで、制御ソフトウェア（Ｆ’）はログイン処理後、ログイン情報と対応づけられた新しい試薬トレイ４ｎ，５ｎの設定情報（Ｇ’）を、記憶領域Ｍｂから呼び出し（Ｓ１３）、分析に使用する設定情報として設定する。以上で分析の準備は終了である。
【００２６】
本発明では、自動分析装置１のメモリに複数個の試薬トレイの設定情報を格納する。それにより、異なる分析項目の試薬容器が配置された試薬トレイを複数個準備しておき、分析の合間に試薬トレイごと交換するとともに、ログイン情報等の試薬トレイ設定情報の特定に資する情報に基づいて試薬トレイの設定情報も切り替えることで、再入力の手間をなくすことができる。従来は、一つ一つ試薬容器を入れ替え、試薬の補正などの作業が必要だったが、この作業もなくすことができる。
【００２７】
［自動分析装置の全体構成例］
図５は、第１の実施形態に係る自動分析装置を模式的に示す説明図である。
図５に示す自動分析装置１は、本発明に係る自動分析装置を生化学分析装置に適用した例である。生化学分析装置は、血液や尿等の生体試料に含まれる特定の成分の量を自動的に測定する。
【００２８】
図５に示すように、自動分析装置１は、測定機構１Ａと、計算機３０とを備える。測定機構１Ａは、測定部の一例であり、サンプルターンテーブル２と、希釈ターンテーブル３と、第１試薬ターンテーブル４と、第２試薬ターンテーブル５と、反応ターンテーブル６と、を備えている。また、測定機構１Ａは、サンプル希釈ピペット７と、サンプリングピペット８と、希釈撹拌装置９と、希釈洗浄装置１１と、第１試薬ピペット１２と、第２試薬ピペット１３と、第１反応撹拌装置１４と、第２反応撹拌装置１５と、多波長光度計１６と、恒温槽１７と、反応容器洗浄装置１８とを備えている。
【００２９】
サンプルターンテーブル２（検体容器配列部の一例）は、軸方向の一端が開口した略円筒状をなす容器状に形成されている。このサンプルターンテーブル２には、複数の検体容器２１と、複数の希釈液容器２２が収容されている。サンプルターンテーブル２の内側には、キャリブレータ２ａ（標準検体）やコントロール２ｂ（管理検体）が設置される。また、サンプルターンテーブル２の内側の部分（内側の２列）は、主にキャリブレータ２ａやコントロール２ｂを保冷する目的で保冷されている。検体容器２１には、血液や尿等からなる検体（サンプル）が収容される。希釈液容器２２には、通常の希釈液である生理食塩水以外の特別な希釈液が収容される。因みに、サンプルターンテーブル２を駆動するときは、内側と外側を同時に駆動することになる。
【００３０】
複数の検体容器２１は、サンプルターンテーブル２の周方向に所定の間隔を開けて並べて配置されている。また、サンプルターンテーブル２の周方向に並べられた検体容器２１の列は、サンプルターンテーブル２の半径方向に所定の間隔を開けて２列セットされている。
【００３１】
複数の希釈液容器２２は、複数の検体容器２１の列よりもサンプルターンテーブル２の半径方向の内側に配置されている。複数の希釈液容器２２は、複数の検体容器２１と同様に、サンプルターンテーブル２の周方向に所定の間隔を開けて並べて配置されている。そして、サンプルターンテーブル２の周方向に並べられた希釈液容器２２の列は、サンプルターンテーブル２の半径方向に所定の間隔を開けて２列セットされている。
【００３２】
なお、複数の検体容器２１及び複数の希釈液容器２２の配列は、２列に限定されるものではなく、１列でもよく、あるいはサンプルターンテーブル２の半径方向に３列以上配置してもよい。
【００３３】
サンプルターンテーブル２は、不図示の駆動機構によって周方向に沿って回転可能に支持されている。そして、サンプルターンテーブル２は、不図示の駆動機構により、周方向に所定の角度範囲ごとに、所定の速度で回転する。また、サンプルターンテーブル２の周囲には、希釈ターンテーブル３が配置されている。
【００３４】
サンプルターンテーブル２の側面には、サンプルバーコードリーダ１０が設けられている。サンプルバーコードリーダ１０は、サンプルターンテーブル２に収容された検体容器２１、希釈液容器２２、キャリブレータ２ａの容器及びコントロール２ｂの容器の側面に付されたバーコードを読み取る。制御部３１は、サンプルバーコードリーダ１０により読み取られた情報を元に、サンプルターンテーブル２に収容された検体、希釈液を管理している。
【００３５】
希釈ターンテーブル３、第１試薬ターンテーブル４、第２試薬ターンテーブル５及び反応ターンテーブル６は、サンプルターンテーブル２と同様に、軸方向の一端が開口した略円筒状をなす容器状に形成されている。希釈ターンテーブル３及び反応ターンテーブル６は、不図示の駆動機構により、その周方向に所定の角度範囲ずつ、所定の速度で回転する。なお、反応ターンテーブル６は、１回以上の回転動作を経て周方向にほぼ１回転（例えば１回の回転動作で約１／３以上回転）するように設定されている。
【００３６】
希釈ターンテーブル３には、複数の希釈容器２３が希釈ターンテーブル３の周方向に並べて収容されている。希釈容器２３には、サンプルターンテーブル２に配置された検体容器２１から吸引され、希釈された検体（以下、「希釈検体」という）が収容される。
【００３７】
第１試薬ターンテーブル４には、複数の第１試薬容器２４が第１試薬ターンテーブル４の周方向に並べて収容されている。また、第２試薬ターンテーブル５には、複数の第２試薬容器２５が第２試薬ターンテーブル５の周方向に並べて収容されている。そして、第１試薬容器２４には、濃縮された第１試薬が収容され、第２試薬容器２５には、第２試薬が収容される。試薬ターンテーブル４，５は複数の試薬容器を収容可能に構成されたトレイ状の装置であればよく、ターンテーブルに限定されない。
【００３８】
第１試薬ターンテーブル４は、第１試薬ターンテーブル収納部２４Ｓに収納されている。第１試薬ターンテーブル収納部２４Ｓは、第１試薬ターンテーブルと略同一方向の軸を有する、有底の略円筒状をなす容器状に形成されている。また、第２試薬ターンテーブル５は、第２試薬ターンテーブル収納部２５Ｓに収納されている。第２試薬ターンテーブル収納部２５Ｓは、第２試薬ターンテーブルと略同一方向の軸を有する、有底の略円筒状をなす容器状に形成されている。第１試薬ターンテーブル収納部２４Ｓ及び第２試薬ターンテーブル収納部２５Ｓはそれぞれ、試薬ターンテーブルを取り外し及び取り付けできるように構成されている。
【００３９】
さらに、第１試薬ターンテーブル４、第１試薬容器２４、第２試薬ターンテーブル５及び第２試薬容器２５は、不図示の保冷機構によって所定の温度に保たれている。そのため、第１試薬容器２４に収容された第１試薬と、第２試薬容器２５に収容された第２試薬は、所定の温度で保冷される。
【００４０】
反応ターンテーブル６は、希釈ターンテーブル３と、第１試薬ターンテーブル４及び第２試薬ターンテーブル５の間に配置されている。反応ターンテーブル６には、複数の反応容器２６が反応ターンテーブル６の周方向に並べて収容されている。反応容器２６には、希釈ターンテーブル３の希釈容器２３からサンプリングした希釈検体と、第１試薬ターンテーブル４の第１試薬容器２４からサンプリングした第１試薬と、第２試薬ターンテーブル５の第２試薬容器２５からサンプリングした第２試薬が注入される。そして、この反応容器２６内において、希釈検体と、第１試薬及び第２試薬が撹拌され、反応が行われる。
【００４１】
サンプル希釈ピペット７（検体注入部の一例）は、サンプルターンテーブル２と希釈ターンテーブル３の周囲に配置される。サンプル希釈ピペット７は、不図示の希釈ピペット駆動機構により、サンプルターンテーブル２及び希釈ターンテーブル３の軸方向（例えば、上下方向）に移動可能に支持されている。また、サンプル希釈ピペット７は、希釈ピペット駆動機構により、サンプルターンテーブル２及び希釈ターンテーブル３の開口と略平行をなす水平方向に沿って回動可能に支持されている。そして、サンプル希釈ピペット７は、水平方向に沿って回動することで、サンプルターンテーブル２と希釈ターンテーブル３の間を往復運動する。なお、サンプル希釈ピペット７がサンプルターンテーブル２と希釈ターンテーブル３の間を移動する際、サンプル希釈ピペット７は、不図示の洗浄装置を通過する。
【００４２】
ここで、サンプル希釈ピペット７の動作について説明する。
サンプル希釈ピペット７がサンプルターンテーブル２における開口の上方の所定位置に移動した際、サンプル希釈ピペット７は、サンプルターンテーブル２の軸方向に沿って下降し、その先端に設けたピペットを検体容器２１内に挿入する。このとき、サンプル希釈ピペット７は、不図示のサンプル用ポンプが作動して検体容器２１内に収容された検体を所定量吸引する。次に、サンプル希釈ピペット７は、サンプルターンテーブル２の軸方向に沿って上昇してピペットを検体容器２１内から抜き出す。そして、サンプル希釈ピペット７は、水平方向に沿って回動し、希釈ターンテーブル３における開口の上方の所定位置に移動する。
【００４３】
次に、サンプル希釈ピペット７は、希釈ターンテーブル３の軸方向に沿って下降して、ピペットを所定の希釈容器２３内に挿入する。そして、サンプル希釈ピペット７は、吸引した検体と、サンプル希釈ピペット７自体から供給される所定量の希釈液（例えば、生理食塩水）を希釈容器２３内に吐出する。その結果、希釈容器２３内で、検体が所定倍数の濃度に希釈される。その後、サンプル希釈ピペット７は、洗浄装置によって洗浄される。
【００４４】
サンプリングピペット８（検体注入部の一例）は、希釈ターンテーブル３と反応ターンテーブル６の間に配置されている。サンプリングピペット８は、不図示のサンプリングピペット駆動機構により、サンプル希釈ピペット７と同様に、希釈ターンテーブル３の軸方向（上下方向）と水平方向に移動及び回動可能に支持されている。そして、サンプリングピペット８は、希釈ターンテーブル３と反応ターンテーブル６の間を往復運動する。
【００４５】
このサンプリングピペット８は、希釈ターンテーブル３の希釈容器２３内にピペットを挿入して、所定量の希釈検体を吸引する。そして、サンプリングピペット８は、吸引した希釈検体を反応ターンテーブル６の反応容器２６内に吐出する。
【００４６】
第１試薬ピペット１２（第１の試薬注入部の一例）は、反応ターンテーブル６と第１試薬ターンテーブル４の間に配置され、第２試薬ピペット１３は、反応ターンテーブル６と第２試薬ターンテーブル５の間に配置されている。第１試薬ピペット１２は、不図示の第１試薬ピペット駆動機構により、反応ターンテーブル６の軸方向（上下方向）と水平方向に移動及び回動可能に支持されている。そして、第１試薬ピペット１２は、第１試薬ターンテーブル４と反応ターンテーブル６の間を往復運動する。
【００４７】
第１試薬ピペット１２は、第１試薬ターンテーブル４の第１試薬容器２４内にピペットを挿入して、所定量の第１試薬を吸引する。そして、第１試薬ピペット１２は、吸引した第１試薬を反応ターンテーブル６の反応容器２６内に吐出する。
【００４８】
また、第２試薬ピペット１３（第２の試薬注入部の一例）は、不図示の第２試薬ピペット駆動機構により、第１試薬ピペット１２と同様に、反応ターンテーブル６の軸方向（上下方向）と水平方向に移動及び回動可能に支持されている。そして、第２試薬ピペット１３は、第２試薬ターンテーブル５と反応ターンテーブル６の間を往復運動する。
【００４９】
第２試薬ピペット１３は、第２試薬ターンテーブル５の第２試薬容器２５内にピペットを挿入して、所定量の第２試薬を吸引する。そして、第２試薬ピペット１３は、吸引した第２試薬を反応ターンテーブル６の反応容器２６内に吐出する。
【００５０】
希釈撹拌装置９及び希釈洗浄装置１１は、希釈ターンテーブル３の周囲に配置されている。希釈撹拌装置９は、不図示の撹拌子を希釈容器２３内に挿入し、検体と希釈液を撹拌する。
【００５１】
希釈洗浄装置１１は、サンプリングピペット８によって希釈検体が吸引された後の希釈容器２３を洗浄する装置である。この希釈洗浄装置１１は、複数の希釈容器洗浄ノズルを有している。複数の希釈容器洗浄ノズルは、不図示の廃液ポンプと、不図示の洗剤ポンプに接続されている。希釈洗浄装置１１は、希釈容器洗浄ノズルを希釈容器２３内に挿入し、廃液ポンプを駆動させて挿入した希釈容器洗浄ノズルによって希釈容器２３内に残留する希釈検体を吸い込む。そして、希釈洗浄装置１１は、吸い込んだ希釈検体を不図示の廃液タンクに排出する。
【００５２】
その後、希釈洗浄装置１１は、洗剤ポンプから希釈容器洗浄ノズルに洗剤を供給し、希釈容器洗浄ノズルから希釈容器２３内に洗剤を吐出する。この洗剤によって希釈容器２３内を洗浄する。その後、希釈洗浄装置１１は、洗剤を希釈容器洗浄ノズルによって吸引し、希釈容器２３内を乾燥させる。
【００５３】
第１反応撹拌装置１４、第２反応撹拌装置１５及び反応容器洗浄装置１８は、反応ターンテーブル６の周囲に配置されている。第１反応撹拌装置１４は、不図示の撹拌子を反応容器２６内に挿入し、希釈検体と第１試薬を撹拌する。これにより、希釈検体と第１試薬との反応が均一かつ迅速に行われる。なお、第１反応撹拌装置１４の構成は、希釈撹拌装置９と同一であるため、ここではその説明は省略する。
【００５４】
第２反応撹拌装置１５は、不図示の撹拌子を反応容器２６内に挿入し、希釈検体と、第１試薬と、第２試薬とを撹拌する。これにより、希釈検体と、第１試薬と、第２試薬との反応が均一かつ迅速に行われる。なお、第２反応撹拌装置１５の構成は、希釈撹拌装置９と同一であるため、ここではその説明は省略する。
【００５５】
反応容器洗浄装置１８は、検査が終了した反応容器２６内を洗浄する装置である。この反応容器洗浄装置１８は、複数の反応容器洗浄ノズルを有している。複数の反応容器洗浄ノズルは、希釈容器洗浄ノズルと同様に、不図示の廃液ポンプと、不図示の洗剤ポンプに接続されている。なお、反応容器洗浄装置１８における洗浄工程は、上述した希釈洗浄装置１１と同様であるため、その説明は省略する。
【００５６】
また、多波長光度計１６は、反応ターンテーブル６の周囲における反応ターンテーブル６の外壁と対向するように配置されている。多波長光度計１６は、反応容器２６内に注入され、第１試薬及び第２試薬と反応した希釈検体（標準検体を含む。）に対して光学的測定を行って、検体中の様々な成分の量を「吸光度」という数値データとした測定結果を出力し、希釈検体の反応状態を検出する。多波長光度計１６には、計算機３０が接続されている。
【００５７】
さらに、反応ターンテーブル６の周囲には、恒温槽１７が配置されている。この恒温槽１７は、反応ターンテーブル６に設けられた反応容器２６の温度を常時一定に保持するように構成されている。
【００５８】
［計算機の構成例］
次に、計算機３０の構成例を説明する。
図６は、計算機３０の構成例を示すブロック図である。コンピューターである計算機３０は、バス３４に接続された、制御部３１と、記憶部３２と、一時記憶部３３と、表示部３５と、入力部３６と、インタフェース部３７とを備える。
【００５９】
制御部３１は、ＣＰＵ（Central Processing Unit）又はＭＰＵ（Micro-Processing Unit）等によって構成されており、自動分析装置１内の各部の動作を制御する。制御部３１は、記憶部３２に記憶された制御プログラムを一時記憶部３３に読み込んで実行する。制御部３１は、測定機構１Ａにより検体容器２１に収容された検体の測定対象の成分（測定項目）を測定し、測定機構１Ａから測定結果を受信する。制御部３１の内部構成については後に詳述する。
【００６０】
記憶部３２（第１の記憶部の一例）は、例えば、ＨＤＤ（Hard disk drive）や半導体メモリ等の大容量の記録装置によって構成された不揮発性の記憶部である。記憶部３２は、制御部３１が実行するプログラム、パラメータ、各種判定結果、入力部３６によってなされた入力操作等を記録する。例えば記憶部３２は、制御部３１により計算された各検体の測定項目の濃度又は該濃度を元に算出される数値等を記録する。また、記憶部３２は、試薬トレイごとに設定情報（後述する図７の試薬トレイ設定情報Ｉｎ１〜Ｉｎ４）を記憶している。また、記憶部３２は、試薬トレイの設定情報と、試薬トレイの設定情報の特定に資する情報（以下、「特定情報」と呼ぶ）との対応関係（後述する図７のログイン情報テーブルＴ１）を記憶している。制御部３１は、入力部３６により入力された特定情報と対応づけられた試薬トレイの設定情報を、記憶部３２から一時記憶部３３へ読み出す。
【００６１】
「試薬トレイの設定情報」とは、試薬トレイに配置された試薬に関する情報であり、試薬トレイ内の位置と試薬容器（試薬の種類）の関係、試薬容器の大きさ、又は試薬の使用期限などである。試薬トレイ内の位置と試薬容器の関係とは、試薬トレイのどのポジションにどの分析項目のための試薬容器が収容されているかという情報である。
【００６２】
また、「試薬トレイの設定情報の特定に資する情報（特定情報）」は、分析動作を行う制御ソフトウェアもしくは自動分析装置１のコンピューターにログインするためのログイン情報（ユーザーＩＤ、パスワード等）、又は使用者の識別情報（ユーザーＩＤ等）などである。
【００６３】
一時記憶部３３（第２の記憶部の一例）は、ＲＡＭ（Random Access Memory）等の主記憶装置であり、データやプログラム等を一時的に記憶する。例えば一時記憶部３３は、入力部３６により入力された特定情報に基づいて記憶部３２から読み出された試薬トレイの設定情報を一時的に保持する。制御部３１は、一時記憶部３３に保持された試薬トレイの設定情報を、試薬トレイ収納部２４Ｓ，２５Ｓに収納された試薬トレイの設定情報として設定し、当該試薬トレイに配置された試薬容器を用いた分析動作を制御する。
【００６４】
このように、制御部３１は、検体の測定に先立ち、入力部３６により入力された特定情報と対応づけられた試薬トレイの設定情報を記憶部３２から読み出し、試薬トレイ収納部２４Ｓ又は２５Ｓに収納されている試薬トレイの設定情報として設定する。
【００６５】
表示部３５は、設定画面、検体の測定状況、検体の測定結果や濃度変換エラー等のメッセージなどを表示する。この表示部３５には、例えば、液晶ディスプレイ装置等が用いられる。
【００６６】
入力部３６は、ユーザーによって行われる自動分析装置１に対する操作入力に応じた入力信号を生成し、入力信号を制御部３１に出力する。この入力部３６には、例えば、マウス、キーボード、タッチパネル等が用いられる。
【００６７】
インタフェース部３７は、試薬ターンテーブル４，５の試薬容器２４，２５を用いて得られる、多波長光度計１６が測定した反応容器２６の吸光度の測定結果が入力されると、制御部３１に測定結果を渡す。図６では、インタフェース部３７に試薬ターンテーブル４，５だけを接続した例を示しているが、自動分析装置１内の各部についても同様にインタフェース部３７に接続され、計算機３０による制御が行われる。
【００６８】
［制御部の内部構成例］
図７は、制御部３１の内部構成例を示す。図７に示すように、制御部３１は、試薬トレイ設定情報設定処理部３１１と測定制御部３１２を備える。制御部３１が記憶部３２に記憶されたプログラムを読み込んで実行することにより、図７の各部の処理が実現される。
【００６９】
試薬トレイ設定情報設定処理部３１１は、分析に用いる試薬トレイの設定情報を設定する処理を行う。即ち試薬トレイ設定情報設定処理部３１１は、特定情報としてのログイン情報に基づいて対応する試薬トレイの設定情報を記憶部３２から呼び出して一時記憶部３３に読み込み、分析に使用する試薬トレイの設定情報として設定する。
【００７０】
測定制御部３１２は、一時記憶部３３に保持された、試薬トレイ設定情報設定処理部３１１により設定された試薬トレイの設定情報を利用して、測定機構１Ａによる項目測定を制御する。
【００７１】
記憶部３２には、試薬トレイ設定情報対応テーブルとしてログイン情報テーブルＴ１が記録されている。図８に、ログイン情報テーブルＴ１の構成例を示す。ログイン情報テーブルＴ１は、「ログインユーザー」及び「設定トレイ設定情報」の項目を有する。図中、ログインユーザーとしての‘ユーザーａ’に対し、設定トレイ設定情報‘設定情報０１’及び‘設定情報０２’が対応づけられている。また、‘ユーザーｂ’に対し、設定トレイ設定情報‘設定情報０３’及び‘設定情報０４’が対応づけられている。ユーザーａ，ｂは、図１及び図３のユーザー［ａ］，［ｂ］に対応している。即ち、‘設定情報０１’及び‘設定情報０２’は、図３の設定情報（Ｇ）に相当し、試薬トレイ４，５の設定情報である。また、‘設定情報０３’及び‘設定情報０４’は、図３の設定情報（Ｇ’）に相当し、試薬トレイ４ｎ，５ｎの設定情報である。
【００７２】
また、記憶部３２には、試薬トレイの設定情報として、第１の試薬トレイ設定情報Ｉｎ１、第２の試薬トレイ設定情報Ｉｎ２、第３の試薬トレイ設定情報Ｉｎ３、及び第４の試薬トレイ設定情報Ｉｎ４が記録されている。これらの試薬トレイ設定情報Ｉｎ１〜Ｉｎ４はそれぞれ、記憶部３２の試薬トレイごとに設定された記憶領域、即ち記憶部３２の異なる記憶領域に記憶されている。
【００７３】
［試薬トレイ設定情報切替処理］
図９は、制御部３１（試薬トレイ設定情報設定処理部３１１）による試薬トレイ設定情報切替処理の流れを示すフローチャートである。制御部３１が記憶部３２に記憶されたプログラムを読み込んで実行することにより、図７のフローチャートの処理が実現される。図７のフローチャートに示した処理は、図４のステップＳ１２，Ｓ１３の処理に対応する。
【００７４】
前提として、ユーザーは、試薬トレイを交換後、入力部３６を操作して不図示のメニュー画面から試薬トレイ設定情報切替モードを選択する。試薬トレイ設定情報設定処理部３１１は、試薬トレイ設定情報切替モードが選択されると、表示部３５にログイン情報入力画面（例えば図１３参照）を表示し、制御ソフトウェアにログインするためにログイン情報の入力を要求する。
【００７５】
そして、試薬トレイ設定情報設定処理部３１１は、入力部３６からログイン情報が入力されたか否かを判定する（Ｓ２１）。ログイン情報が入力されなかった場合には（Ｓ２１のＮＯ）、試薬トレイ設定情報設定処理部３１１は、ログイン情報の入力の有無を判定する処理を繰り返す。
【００７６】
次いで、ログイン情報が入力された場合には（Ｓ２１のＹＥＳ）、試薬トレイ設定情報設定処理部３１１は、入力されたログイン情報が正しい場合には対象ユーザーのログインを許可する。そして、試薬トレイ設定情報設定処理部３１１は、記憶部３２のログイン情報テーブルＴ１から、入力されたログイン情報と紐付けられた試薬トレイ設定情報を検索する（Ｓ２２）。
【００７７】
次いで、試薬トレイ設定情報設定処理部３１１は、検索した試薬トレイ設定情報を一時記憶部３３に読み込み、項目の測定（分析）に使用する設定情報として設定する（Ｓ２３）。試薬トレイ設定情報設定処理部３１１は、ステップＳ２３の処理後、試薬トレイ設定情報切替処理を終了する。
【００７８】
例えば試薬トレイ収納部２４Ｓ，２５Ｓに収納された試薬トレイ４，５を試薬トレイ４ｎ，５ｎ（図３参照）に取り替えた後、試薬トレイ４ｎ，５ｎを準備したユーザーｂは、入力部３６によりユーザーＩＤ及びパスワードを入力して制御プログラムにログインする。試薬トレイ設定情報設定処理部３１１は、ユーザーｂのログインを検知すると、ログイン情報テーブルＴ１を参照して記憶部３２から‘設定情報０３’及び‘設定情報０４’を読み出し、分析に使用する試薬トレイ設定情報を‘設定情報０１’及び‘設定情報０２’から‘設定情報０３’及び‘設定情報０４’に切り替える。
【００７９】
上述した第１の実施形態によれば、自動分析装置１を使用するユーザーがログイン処理を行うと、分析に用いる試薬トレイ設定情報として、ログイン情報に対応する試薬トレイ設定情報が記憶部３２から読み出されて自動的に設定される。そのため、自動分析装置１の試薬トレイを交換した場合に、ユーザーが試薬トレイ設定情報を手入力することなく、試薬トレイ収納部２４Ｓ，２５Ｓに取り付けられた新しい試薬トレイに対応する設定情報に切り替わる。即ち、手入力による試薬トレイ設定情報の変更作業を行うことなく、簡便に試薬トレイ設定情報を切替えることができる。このため、異なる分析項目を取り扱う複数のユーザーが１台の自動分析装置１を円滑に共同使用することができる。
【００８０】
＜２．第２の実施形態＞
第２の実施形態として、試薬トレイ収納部２４Ｓ，２５Ｓに収納された試薬トレイがユーザーにより交換されたことを自動的に検知できる構成を説明する。
【００８１】
［自動分析装置の全体構成例］
図１０は、第２の実施形態に係る自動分析装置を模式的に示す説明図である。
図１０における自動分析装置４０と、第１の実施形態に係る自動分析装置１（図５）との相違点は、自動分析装置４０が試薬トレイの着脱を検知する第１着脱検知部Ｄ１及び第２着脱検知部Ｄ２を備える点である。
【００８２】
第１着脱検知部Ｄ１は、第１試薬トレイ収納部２４Ｓの底部又は内周面に設けられる。第１着脱検知部Ｄ１は、第１試薬トレイ収納部２４Ｓに対する試薬トレイの取り外し又は取り付けを検知した場合に、それぞれの検知信号（取り外し信号、取り付け信号）を計算機３０の制御部３１に出力する。
【００８３】
同様に、第２着脱検知部Ｄ２は、第２試薬トレイ収納部２５Ｓの底部又は内周面に設けられる。第２着脱検知部Ｄ２は、第２試薬トレイ収納部２５Ｓに対する試薬トレイの取り外し又は取り付けを検知した場合に、それぞれの検知信号（取り外し信号、取り付け信号）を計算機３０の制御部３１に出力する。着脱検知部Ｄ１，Ｄ２は、カムスイッチ、光センサ、又は重量センサ等を用いて構成することができる。
【００８４】
［制御部の内部構成例］
図１１は、自動分析装置４０の制御部３１の内部構成例を示す。
制御部３１の基本的な構成は、第１の実施形態（図７）と同様である。制御部３１の試薬トレイ設定情報設定処理部３１１は、着脱検知部Ｄ１，Ｄ２により試薬トレイが他の試薬トレイに交換されたことを検知した場合には、入力された特定情報に基づいて、記憶部３２に記憶された他の試薬トレイの設定情報を一時記憶部３３に読み込む。そして、試薬トレイ設定情報設定処理部３１１は、新たに読み込んだ他の試薬トレイの設定情報を、分析に使用する試薬トレイの設定情報として設定する。
【００８５】
［試薬トレイ設定情報切替処理］
図１２は、制御部３１（試薬トレイ設定情報設定処理部３１１）による試薬トレイ設定情報切替処理の流れを示すフローチャートである。制御部３１が記憶部３２に記憶されたプログラムを読み込んで実行することにより、図１２のフローチャートの処理が実現される。
【００８６】
図１２において、初めに試薬トレイ設定情報設定処理部３１１は、着脱検知部Ｄ１，Ｄ２により試薬トレイ収納部２４Ｓ，２５Ｓに対して試薬トレイの交換が行われたか否かを判定する（Ｓ３１）。試薬トレイの交換を検知しなかった場合には（Ｓ３１のＮＯ）、試薬トレイ設定情報設定処理部３１１は、試薬トレイの交換の有無を判定する処理を繰り返す。
【００８７】
次いで、試薬トレイが交換された場合には（Ｓ３１のＹＥＳ）、試薬トレイ設定情報設定処理部３１１は、試薬トレイ設定情報を設定する設定プログラム（制御ソフトウェア）を起動する（Ｓ３２）。次に、試薬トレイ設定情報設定処理部３１１は、試薬トレイ設定情報切替モードに入って表示部３５にログイン情報入力画面（図１３参照）を表示し、制御ソフトウェアにログインするためにログイン情報（例えばユーザーＩＤ、パスワード）の入力を要求する（Ｓ３３）。そして、試薬トレイ設定情報設定処理部３１１は、入力されたログイン情報が正しい場合には対象ユーザーのログインを許可する。
【００８８】
次に、試薬トレイ設定情報設定処理部３１１は、ステップＳ３４〜Ｓ３６におけるログイン情報の有無の判定、試薬トレイ設定情報の検索、及び検索した試薬トレイ設定情報を測定に使用する設定情報に設定する各処理を実行する。これらステップＳ３４〜Ｓ３６の処理は、図９のステップＳ２１〜Ｓ２３の処理と同じである。試薬トレイ設定情報設定処理部３１１は、ステップＳ３６の処理後、試薬トレイ設定情報切替処理を終了する。
【００８９】
上述した第２の実施形態によれば、第１の実施形態の場合と同様に、自動分析装置４０を使用するユーザーがログイン処理を行うと、分析に用いる試薬トレイ設定情報として、ログイン情報に対応する試薬トレイ設定情報が記憶部３２から読み出されて自動的に設定される。それゆえ、手入力による試薬トレイ設定情報の変更作業を行うことなく、簡便に試薬トレイ設定情報を切り替えることができる。このため、異なる分析項目を取り扱う複数のユーザーが１台の自動分析装置１を円滑に共同使用することができる。
【００９０】
また、第２の実施形態は、第１の実施形態による効果に加え、次のような効果がある。第２の実施形態では、着脱検知部Ｄ１，Ｄ２により試薬トレイの交換を検知した場合には、ログイン情報の入力を要求する構成となっている。即ち自動分析装置４０が試薬トレイ交換の実施／未実施を確認した場合に、試薬トレイの設定情報の変更が可能である。それにより、試薬トレイを交換していないのにもかかわらず、誤って試薬トレイの設定情報が変更されることを防止できる。
【００９１】
［変形例］
上述した第１及び第２の実施形態では、試薬トレイ設定情報とログインユーザーが一対一に対応する例を示したが、一対一に対応していなくてもよい。本発明では試薬トレイ設定情報ごとにログインユーザーを設定してもよい。即ち一つの試薬トレイ設定情報に複数のログインユーザーが対応づけられていてもよい。但し、ログインユーザーの情報だけでは試薬トレイ設定情報を特定できないため、試薬トレイの名称を指定することで試薬トレイ設定情報を特定できるようにする。この場合、特定情報は、ログインユーザーではなく、試薬トレイの名称となる。試薬トレイの名称の代わりに、試薬トレイを識別可能な数字及び記号からなる識別情報でもよい。
【００９２】
図１４は、第２の実施形態に係る試薬トレイ設定情報対応テーブルであるログイン情報テーブルの例を示す。ログイン情報テーブルＴ２は記憶部３２に記録されている。
【００９３】
ログイン情報テーブルＴ２は、「試薬トレイ設定情報」、「試薬トレイ名称」、及び「ログインユーザー」の項目を有する。試薬トレイ名称は、試薬トレイにつけられた名称である。ログイン情報テーブルＴ２の３行目には、試薬トレイ設定情報‘設定情報０３’に対し、ログインユーザーとして‘ユーザーａ’及び‘ユーザーｂ’、並びに試薬トレイ名称として‘試薬トレイＣ’が登録されている。試薬トレイ設定情報に対し複数のログインユーザーが設定されているため、ログインユーザーの情報だけでは試薬トレイ設定情報を特定できないが、試薬トレイ名称を指定することにより試薬トレイ設定情報が特定される。
【００９４】
図１５は、第２の実施形態に係る試薬トレイ設定情報切替画面の例を示す。
試薬トレイ設定情報設定処理部３１１は、試薬トレイが交換されたことを検出した場合、試薬トレイ設定情報を切り替えるために図１５に示すような試薬トレイ設定情報切替画面Ｕ２を表示部３５に表示し、試薬トレイの選択を要求する。図中、‘トレイ収納部１’は第１試薬トレイ収納部２４Ｓに対応し、‘トレイ収納部２’は第２試薬トレイ収納部２５Ｓに対応する。図１５に示すように、トレイ収納部１及びトレイ収納部２ともに、収納されている試薬トレイの名称を、試薬トレイＡ〜試薬トレイＤの名称一覧の中から選択可能に表示されている。ログインユーザーは、入力部３６を操作して現在試薬トレイ収納部に収納された試薬トレイに該当する名称を選択し、ＯＫボタンを押下する。これにより、試薬トレイの名称と対応づけられた試薬トレイ設定情報が選択されて設定される。
【００９５】
試薬トレイ設定情報切替画面Ｕ２に表示される試薬トレイの名称一覧は、ログインユーザーに応じて、即ちログイン情報テーブルＴ２（図１４）に基づいて変更するとよい。例えば図１３の内容に従えば、ログインユーザーが‘ユーザーａ’の場合には、試薬トレイＡ〜試薬トレイＤが表示される。図１５の例は、‘ユーザーａ’でログインした場合の表示内容を示している。一方、が、ログインユーザーが‘ユーザーｂ’の場合には、試薬トレイＣ，試薬トレイＤのみが表示される。これにより、ログインしたユーザーが、自身が準備した試薬トレイの設定情報以外の設定情報を選択できないようにすることができ、設定情報の誤設定を防止することができる。
【００９６】
上述した変形例によれば、一つのログイン情報に対して複数の試薬トレイが対応付けられている場合に、試薬トレイの名称（又は識別情報）に基づいて、記憶部３２から該当する試薬トレイの設定情報を特定して読み出すことが可能となる。したがって、複数のユーザー又は研究機関等が、試薬トレイを共同で使用することが可能となる。
【００９７】
＜３．第３の実施形態＞
第３の実施形態として、試薬トレイ収納部２４Ｓ，２５Ｓに収納された試薬トレイの情報を自動的に読み取り、読み取り結果に基づいて試薬トレイ設定情報の設定処理を行う構成を説明する。
【００９８】
図１６は、第３の実施形態に係る自動分析装置を模式的に示す説明図である。
図１６における自動分析装置５０と、第１の実施形態に係る自動分析装置１（図５）との相違点は、自動分析装置５０が試薬トレイの外周面の情報を読み取る第１情報読取部Ｒ１及び第２情報読取部Ｒ２を備える点である。
【００９９】
第１情報読取部Ｒ１は、第１試薬トレイ収納部２４Ｓの側面又は底部に設けられる。第１情報読取部Ｒ１は、第１試薬トレイ収納部２４Ｓに収納された試薬トレイが取り外された場合には、試薬トレイの外周面又は底面に描画又は取り付けられた情報源の情報（試薬トレイ情報）が読み取れなくなるので、検知信号として取り外し信号（例えばロー信号）を計算機３０の制御部３１に出力する。また、第１試薬トレイ収納部２４Ｓに試薬トレイが収納された場合には、試薬トレイに付された情報源の情報（試薬トレイ情報）を読み取り、読み取り信号を計算機３０の制御部３１に出力する。
【０１００】
第２情報読取部Ｒ２は、第２試薬トレイ収納部２５Ｓの側面又は底部に設けられる。第２情報読取部Ｒ２は、第２試薬トレイ収納部２５Ｓに収納された試薬トレイが取り外された場合には、試薬トレイの外周面又は底面に描画又は取り付けられた情報源の情報（試薬トレイ情報）が読み取れなくなるので、検知信号として取り外し信号（例えばロー信号）を計算機３０の制御部３１に出力する。また、第２試薬トレイ収納部２５Ｓに試薬トレイが収納された場合には、試薬トレイに付された情報源の情報（試薬トレイ情報）を読み取り、読み取り信号を計算機３０の制御部３１に出力する。
【０１０１】
試薬トレイに付された情報源は、例えばバーコードであり、情報読取部Ｒ１，Ｒ２としてバーコードリーダーが適用される。
【０１０２】
［制御部の内部構成例］
図１７は、自動分析装置５０の制御部３１の内部構成例を示す。
制御部３１の基本的な構成は、第１の実施形態（図７）と同様である。制御部３１の試薬トレイ設定情報設定処理部３１１は、情報読取部Ｒ１，Ｒ２により試薬トレイが他の試薬トレイに交換されたことを検知した場合には、情報読取部Ｒ１，Ｒ２の読み取り結果（試薬トレイ情報）に基づいて、記憶部３２に記憶された試薬トレイ情報テーブルＴ３（図１８参照）から、他の試薬トレイの設定情報を一時記憶部３３に読み込む。そして、試薬トレイ設定情報設定処理部３１１は、新たに読み込んだ他の試薬トレイの設定情報を、分析に使用する試薬トレイの設定情報として設定する。
【０１０３】
図１８は、試薬トレイ情報テーブルＴ３の構成例を示す。
試薬トレイ情報テーブルＴ３は、「試薬トレイ情報」及び「設定トレイ設定情報」の項目を有する。試薬トレイ情報は、例えば試薬トレイを一意に識別するための識別情報又は試薬トレイの名称などである。図中、試薬トレイ情報としての‘試薬トレイ０１’から‘試薬トレイ０４’に対し、設定トレイ設定情報‘設定情報０１’から‘設定情報０４’が一対一に対応づけられている。
【０１０４】
［試薬トレイ設定情報切替処理］
図１９は、制御部３１（試薬トレイ設定情報設定処理部３１１）による試薬トレイ設定情報切替処理の流れを示すフローチャートである。制御部３１が記憶部３２に記憶されたプログラムを読み込んで実行することにより、図１９のフローチャートの処理が実現される。
【０１０５】
図１９において、初めに試薬トレイ設定情報設定処理部３１１は、情報読取部Ｒ１，Ｒ２により試薬トレイ収納部２４Ｓ，２５Ｓに収納されている試薬トレイに付されたバーコード等の情報（試薬トレイ情報）が読み取られたか否かを判定する（Ｓ４１）。試薬トレイ情報が読み取られなかった場合には（Ｓ４１のＮＯ）、試薬トレイ設定情報設定処理部３１１は、試薬トレイ収納部２４Ｓ，２５Ｓに試薬トレイが収納されていないと判断し、試薬トレイ情報の読み取り判定を繰り返す。
【０１０６】
次いで、試薬トレイ情報を読み取った場合には（Ｓ４１のＹＥＳ）、試薬トレイ設定情報設定処理部３１１は、試薬トレイから読み取った試薬トレイ情報と試薬トレイ情報テーブルＴ３に登録されている試薬トレイ情報とを比較し、収納されている試薬トレイが新しい試薬トレイ、即ち交換された他の試薬トレイであるか否かを判定する（Ｓ４２）。新しい試薬トレイではない場合には（Ｓ４２のＮＯ）、試薬トレイ設定情報設定処理部３１１は、試薬トレイ設定情報切替処理を終了する。
【０１０７】
次に、収納されている試薬トレイが新しい試薬トレイである場合には（Ｓ４２のＹＥＳ）、試薬トレイ設定情報設定処理部３１１は、試薬トレイ設定情報を設定する設定プログラム（制御ソフトウェア）を起動する（Ｓ４３）。
【０１０８】
次に、試薬トレイ設定情報設定処理部３１１は、記憶部３２の試薬トレイ情報テーブルＴ３から、読み取った試薬トレイ情報と紐付けられた試薬トレイ設定情報を検索する（Ｓ４４）。
【０１０９】
次に、試薬トレイ設定情報設定処理部３１１は、検索した試薬トレイ設定情報を一時記憶部３３に読み込み、項目の測定（分析）に使用する設定情報として設定する（Ｓ４５）。このステップＳ４５の処理は、図９のステップＳ２３の処理と同じである。試薬トレイ設定情報設定処理部３１１は、ステップＳ４５の処理後、試薬トレイ設定情報切替処理を終了する。
【０１１０】
上述した第３の実施形態によれば、第２の実施形態の場合と同じように、第１の実施形態と同様の効果を奏する。また、第３の実施形態は、第１の実施形態による効果に加え、次のような効果がある。第３の実施形態では、情報読取部Ｒ１，Ｒ２により試薬トレイに付された試薬トレイ情報を読み取り、読み取り結果に基づいて、試薬トレイ設定情報の設定を行う。即ち自動分析装置５０が試薬トレイ交換の実施／未実施を確認した上で、かつ、試薬トレイから直接読み取った試薬トレイ情報に基づいて、自動的に試薬トレイ設定情報の設定を行う。それにより、誤って試薬トレイ収納部２４Ｓ，２５Ｓに収納されている試薬トレイの設定情報と異なる設定情報が設定されることを防止できる。
【０１１１】
なお、情報読取部Ｒ１，Ｒ２は、バーコードリーダーに限定されない。例えば試薬トレイ４，５にＩＣタグを取り付け、ＮＦＣ（Near Field Communication）等の近距離無線通信技術を利用して情報読取部Ｒ１，Ｒ２のリーダーでＩＣタグに格納された情報を読み取るようにしてもよい。
【０１１２】
＜４．第４の実施形態＞
上述した第１〜第３の実施形態では、試薬トレイ収納部２４Ｓ，２５Ｓに収納された２つの試薬トレイを同時に交換する例を説明したが、一方の試薬トレイのみを交換する場合にも対応可能である。以下、第４の実施形態として、片方の給紙トレイのみ取り替える場合の例を説明する。
【０１１３】
図２０は、第４の実施形態に係る設定項目選択画面の例を示す。
図２０の設定項目選択画面Ｕ３において、試薬トレイＡには項目Ａ、項目Ｂを測定可能な試薬が収容されていることが表示されている。同様に、試薬トレイＢにも項目Ａ、項目Ｂを測定可能な試薬が収容されている。また、試薬トレイＣには項目Ｅを測定可能な試薬が収容されている。さらに試薬トレイＤに表示された項目（項目Ａ，項目Ｅ，項目Ｆ）を測定不能であることが示されている。制御部３１の測定制御部３１２（図７）が、試薬トレイ設定情報を検索することにより、このような設定項目選択画面Ｕ３の表示が可能である。
【０１１４】
仮に試薬トレイ収納部２４Ｓ，２５Ｓに試薬トレイＡ，Ｂが収納されている場合、項目Ａ，Ｂのみしか測定できない。しかし、例えば第１試薬トレイ収納部２４Ｓに収納されている試薬トレイＡを試薬トレイＣに交換することで、項目Ａ，Ｂ，Ｅを測定することが可能になる。そこで、測定制御部３１２は、表示部３５に図２１に示すような試薬トレイ交換メッセージ表示画面Ｕ４を表示する。
【０１１５】
ユーザーは、試薬トレイ交換メッセージ表示画面Ｕ４を確認して、第１試薬トレイ収納部２４Ｓに収納された試薬トレイＡを試薬トレイＣに交換する。例えば他の研究機関が使用していた試薬トレイ（ここでは試薬トレイＢ）を流用するとともに、準備しておいた試薬トレイＣを利用することにより、自身の試薬トレイＣのみは測定できない多数の項目を測定することが可能となる。
【０１１６】
＜５．その他＞
なお、上述した第１〜第３の実施形態では、試薬トレイ設定情報と特定情報を紐付ける構成としたが、特定情報と紐つける設定情報は試薬トレイ単位でなくてもよい。例えば、試薬トレイの試薬容器が配置されるポジションと試薬容器（試薬）との関係を対応づけて、記憶部３２に記録するようにしてもよい。例えば試薬トレイに収容された多数の試薬容器の一部を交換した場合に、特定情報に基づいて試薬容器が交換されたポジションに対する設定情報を記憶部３２から読み出し、分析に使用する試薬トレイ設定情報として設定する。これにより、試薬トレイ内の一部の試薬容器を交換した場合に、試薬トレイを交換した場合と同様に、手入力で試薬トレイ設定情報を変更することなく、試薬トレイ内の交換後の試薬容器に対応する設定情報が設定される。
【０１１７】
さらに、本発明は上述した各実施形態例に限られるものではなく、特許請求の範囲に記載した本発明の要旨を逸脱しない限りにおいて、その他種々の応用例、変形例を取り得ることは勿論である。
【０１１８】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【０１１９】
また、上記の各構成、機能、処理部、処理手段等は、それらの一部又は全部を、例えば集積回路で設計する等によりハードウェアで実現してもよい。
【０１２０】
また、図面に記載した制御線や情報線は説明上必要と考えられるものを示しており、製品上必ずしも全ての制御線や情報線を示しているとは限らない。実際には殆ど全ての構成が相互に接続されていると考えてもよい。
【０１２１】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１２２】
１…自動分析装置、  １Ａ…測定機構、  ４，５…試薬ターンテーブル（試薬トレイ）、  ２４，２５…試薬容器、  ２４Ｓ，２５Ｓ…試薬ターンテーブル収納部（試薬トレイ収納部）、  ３０…計算機、  ３１…制御部、  ３２…記憶部、  ３３…一時記憶部、  ３１１…試薬トレイ設定情報設定処理部、  Ｄ１，Ｄ２…着脱検知部、  Ｒ１，Ｒ２…情報読取部、  Ｔ１,Ｔ２…ログイン情報テーブル、  Ｔ３…試薬トレイ情報テーブル、  Ｕ１…ログイン情報入力画面、  Ｕ２…試薬トレイ設定情報切替画面、  Ｕ３…測定項目選択画面、  Ｕ４…試薬トレイ交換メッセージ表示画面
【図１】
2018124223.tif 000003
【図２】
2018124223.tif 000004
【図３】
2018124223.tif 000005
【図４】
2018124223.tif 000006
【図５】
2018124223.tif 000007
【図６】
2018124223.tif 000008
【図７】
2018124223.tif 000009
【図８】
2018124223.tif 000010
【図９】
2018124223.tif 000011
【図１０】
2018124223.tif 000012
【図１１】
2018124223.tif 000013
【図１２】
2018124223.tif 000014
【図１３】
2018124223.tif 000015
【図１４】
2018124223.tif 000016
【図１５】
2018124223.tif 000017
【図１６】
2018124223.tif 000018
【図１７】
2018124223.tif 000019
【図１８】
2018124223.tif 000020
【図１９】
2018124223.tif 000021
【図２０】
2018124223.tif 000022
【図２１】
2018124223.tif 000023